【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
試薬容器を保持する試薬容器保管庫と、
前記試薬容器を収容し、前記試薬容器保管庫の所望位置まで輸送する試薬ディスクと、
前記試薬ディスク、又は、前記試薬容器の装填システムに紫外線を照射する照射部と、
前記照射部を制御する制御部と、を備える、
ことを特徴とする自動分析装置。
【請求項２】
請求項１に記載の自動分析装置であって、
前記試薬容器保管庫、または前記試薬ディスクに前記照射部を備える、
ことを特徴とする自動分析装置。
【請求項３】
請求項２に記載の自動分析装置であって、
前記試薬ディスクのジャケットの内側に少なくとも１個の前記照射部が設置されている、
ことを特徴とする自動分析装置。
【請求項４】
請求項１に記載の自動分析装置であって、
前記装填システムに、少なくとも１個の前記照射部が設置されている、
ことを特徴とする自動分析装置。
【請求項５】
試薬容器を保持する試薬容器保管庫と、
前記試薬容器を収容し、前記試薬容器保管庫の所望位置まで輸送する試薬ディスクと、
前記試薬ディスク、又は、前記試薬容器の装填システムに紫外線を照射する照射部と、
前記照射部を制御する制御部と、を備え、
前記試薬容器に前記照射部を備える、
ことを特徴とする自動分析装置。
【請求項６】
請求項５に記載の自動分析装置であって、
前記照射部を備える前記試薬容器は、
前記制御部と、前記照射部を駆動する駆動バッテリーと、紫外線照射のタイミングを切り替えるスイッチと、を有する、
ことを特徴とする自動分析装置。
【請求項７】
請求項２に記載の自動分析装置であって、
前記制御部は、特定のタイミングで前記照射部の点灯および消灯を切り替える、
ことを特徴とする自動分析装置。
【請求項８】
請求項６に記載の自動分析装置であって、
前記制御部は、特定のタイミングで前記スイッチを切り替えるよう制御する、
ことを特徴とする自動分析装置。
【請求項９】
請求項８に記載の自動分析装置であって、
前記試薬ディスクは、ＲＦＩＤ（Ｒａｄｉｏ  Ｆｒｅｑｕｅｎｃｙ  Ｉｄｅｎｔｉｆｉｃａｔｉｏｎ）情報読み出しデバイスＡを備え、
前記制御部は、
前記照射部を備える前記試薬容器のＲＦＩＤタグ情報を前記ＲＦＩＤ情報読み出しデバイスＡにより読み出し、前記駆動バッテリーの残量を確認し、残量が必要十分量である場合、前記ＲＦＩＤタグ情報を登録する、
ことを特徴とする自動分析装置。
【請求項１０】
請求項９に記載の自動分析装置であって、
前記制御部は、
前記ＲＦＩＤタグ情報の登録後、前記照射部を備える前記試薬容器を、前記試薬ディスクの試薬駆動ディスクへ移動し、殺菌動作の実行を命令する、
ことを特徴とする自動分析装置。
【請求項１１】
請求項１０に記載の自動分析装置であって、
前記試薬駆動ディスクはＲＦＩＤ情報読み出しデバイスＢを備え、
前記制御部は、
前記ＲＦＩＤ情報読み出しデバイスＢに隣接する位置まで、前記照射部を備える前記試薬容器を移動し、前記照射部を点灯して殺菌動作を実行するよう制御する、
ことを特徴とする自動分析装置。
【請求項１２】
請求項１１に記載の自動分析装置であって、
前記制御部は、前記殺菌動作の実行後、前記ＲＦＩＤ情報読み出しデバイスＢに隣接する位置まで、前記照射部を備える前記試薬容器を移動し、前記照射部を消灯するよう制御する、
ことを特徴とする自動分析装置。
【手続補正２】
【補正対象書類名】明細書
【補正対象項目名】０００８
【補正方法】変更
【補正の内容】
【０００８】
【図１】自動分析装置の一概略構成を示す図。
【図２】試薬容器（密閉状態）の斜視模式図。
【図３】試薬容器（開放状態）の斜視模式図。
【図４】試薬ディスクの外観図。
【図５Ａ】蓋が除かれた状態での試薬ディスクの外観図。
【図５Ｂ】蓋が除かれた状態での試薬ディスクの平面図。
【図５Ｃ】試薬ディスクの図。
【図６】装填システムの概略図。
【図７】試薬容器投入部と装填システムの関係を示した模式図。
【図８】試薬容器投入部の拡大図。
【図９】実施例１に係る殺菌ユニットの一構成例を示す図。
【図１０Ａ】実施例１に係る殺菌ユニットのメカスイッチ（ＯＦＦの状態）の図。
【図１０Ｂ】実施例１に係る殺菌ユニットのメカスイッチ（ＯＮの状態）の図。
【図１１】実施例１に係るメンテナンス作業として殺菌ユニットを使用する場合の殺菌手順のフローチャート図。
【図１２】実施例１に係るメンテナンス作業として殺菌ユニットを繰り返し使用する場合の殺菌手順のフローチャート図。
【図１３Ａ】実施例１に係る分析測定開始前準備動作の際に殺菌ユニットを使用する場合の殺菌手順のフローチャート図。
【図１３Ｂ】実施例１に係る分析測定開始前準備動作の際に殺菌ユニットを使用する場合の殺菌手順の続きを示すフローチャート図。
【図１４】実施例２に係る殺菌ユニットの一設置構成例を示す図。
【図１５】実施例２に係る殺菌ユニットの他の設置構成例を示す図。
【手続補正３】
【補正対象書類名】明細書
【補正対象項目名】００１４
【補正方法】変更
【補正の内容】
【００１４】
サンプル分注チップ／反応容器廃棄孔１０２、サンプル分注チップ保持部１０３、反応溶液撹拌ユニット１０５、サンプル分注チップ／反応容器ステーション１０７およびインキュベータ１０８の一部の上方にて、サンプル分注チップ／反応容器輸送ユニット１０６がＸ軸、Ｙ軸およびＺ軸の方向に移動するようになっている。サンプル分注チップ／反応容器輸送ユニット１０６は、反応容器をサンプル分注チップ／反応容器ステーション１０７からインキュベータ１０８へ移動させる。サンプル分注チップ／反応容器輸送ユニット１０６はまた、サンプル分注チップをサンプル分注チップ保持部１０３まで移動させる。
【手続補正４】
【補正対象書類名】明細書
【補正対象項目名】００１５
【補正方法】変更
【補正の内容】
【００１５】
サンプル分注ユニット１１５は、サンプル分注チップが置かれたサンプル分注チップ保
持部１０３の上部領域まで移動し、サンプル分注チップのいずれか１つをピックアップす
る。サンプルの上部領域に移動し、吸引によりサンプルを取得した後に、サンプル分注ユ
ニット１１５は更にインキュベータ１０８上の反応容器の上部領域へ移動し、サンプルを
反応容器内に排出する。この後でサンプル分注ユニット１１５は、サンプル分注チップ／
反応容器廃棄孔の上部領域まで移動し、廃棄のためにサンプル分注チップを孔の内部に落
下する。インキュベータ１０８は、複数の反応容器を係止する能力を有し、反応容器の各
々を回転運動によりインキュベータ１０８の円周上の所定位置まで移動させる。
【手続補正５】
【補正対象書類名】明細書
【補正対象項目名】００１８
【補正方法】変更
【補正の内容】
【００１８】
サンプルと所定の試薬を分注してから所定の反応時間が経過した後に形成される反応溶
液を、反応溶液吸引ノズル１１２が反応容器から吸引し、次に検出ユニット１１３へ反応
溶液を供給する。この検出ユニット１１３は反応溶液中の被測定物質を定性／定量分析す
る。サンプル分注チップ／反応容器輸送ユニット１０６は、分析された反応溶液をサンプル
分注先端／反応容器廃棄孔の上部領域に移動させ、廃棄するために反応容器を廃棄孔内に入れる。
【手続補正６】
【補正対象書類名】明細書
【補正対象項目名】００１９
【補正方法】変更
【補正の内容】
【００１９】
なお、自動分析装置のうち、以上説明したサンプル搬送ライン１１４、試薬ディスク１
１１、インキュベータ１０８、サンプル分注ユニット１１５、試薬分注機構１０９、サン
プル分注チップ・反応容器輸送ユニット１０６、検出ユニット１１３を分析動作部と称する。
さらに、自動分析装置は、分析動作部に加えて、自動分析装置全体の動作を制御する制御
部１１７と操作部１１８とを備えている。制御部１１７は、例えばハードウェア基板とコ
ンピュータで構成され、ハードディスクなどの記憶装置１１９が接続されている。操作部
１１８は、ディスプレイである表示装置や、マウス、キーボードなどの入力装置から構成
されている。記憶装置１１９には例えば各ユニットに対応した温度範囲などが記憶されて
いる。